(57)【特許請求の範囲】
【請求項１】
自動車の計器である表示発光部と、
前記表示発光部より観察者側に配置される光学シートと、
を備える表示装置であって、
前記光学シートは、基材層及び光学機能層を具備し、
前記光学機能層は、
所定の断面を有して前記基材層の面に沿って一方向に延び、当該延びる方向とは異なる方向に所定の間隔で複数配列される光透過部と、
隣り合う前記光透過部の前記間隔に形成される光吸収部と、を備え、
前記光透過部の幅は、前記表示発光部側が広く、前記観察者側が狭くなっており、
前記光学機能層は前記表示発光部から５ｍｍ以上５０ｍｍ以下の間隔を有し、前記光学シートは前記表示発光部に触れないように配置され、
前記光透過部と前記光吸収部との界面は多角形又は曲線を有しており、前記光透過部と前記光吸収部との界面において光が反射され、さらに前記光学機能層に隣接する他層との界面において再度反射された光は前記表示発光部側に戻るように、前記光透過部及び前記光吸収部が構成されている、
表示装置。
【請求項２】
前記光透過部の屈折率をＮｔとし、前記光吸収部の屈折率をＮｒとするとき、Ｎｔ−Ｎｒが０を超える請求項１に記載の表示装置。
【請求項３】
前記光透過部の屈折率をＮｔとし、前記光吸収部の屈折率をＮｒとするとき、Ｎｔ−Ｎｒが０となる請求項１に記載の表示装置。
【請求項４】
前記他層が保護層である請求項１に記載の表示装置。
【請求項５】
前記光学シートより前記観察者側に配置されるパネルを備え、前記パネルは光を透過する板状の部材である、請求項１乃至４のいずれかに記載の表示装置。
【請求項６】
請求項１乃至５のいずれかに記載の表示装置を備え、前記表示装置は前記表示発光部に液晶パネルを具備する液晶表示装置。
【発明の詳細な説明】
【技術分野】
【０００１】
本発明は、表示装置及び液晶表示装置に関する。
【背景技術】
【０００２】
液晶テレビ等の液晶表示装置は、映像情報を有する液晶パネルに対してその背面側から面光源装置で照明する。これにより、照明光が液晶パネルを透過して映像情報を得て観察者側に出射され、観察者が映像を視認できるようになる。一方、液晶パネルはその性質上、有効に利用することができる光に制限があり、光源からの光を効率よく利用するための工夫が必要である。
【０００３】
特許文献１には、面光源、プリズムシート、光学機能層（光透過部と光吸収部とが交互に配列された層）、及び液晶パネルがこの順で積層された映像源ユニットが開示されている。これにより、液晶パネルに入射する光の方向を当該液晶パネルのパネル面法線方向に近づけ、光の利用効率を高めている。
また、特許文献２も同様に、光源、輝度上昇フィルム（頂部が観察者側を向いているプリズムが複数配列されたシート）、反射偏光フィルム、ＬＣＦ（光透過部と光吸収部とが交互に配列されたフィルム）、液晶パネルがこの順に配置される構成が開示されている。これにより光源から出射された光の向きを液晶パネルのパネル面法線方向に近づけることができ、光の利用効率を高められるとしている。また、液晶パネルのパネル面に対して大きな角度でＬＣＦに入射した光はここに設けられた光吸収部により吸収される。
【０００４】
例えば、自動車に設置されるカーナビゲーション装置等には、特許文献１、２に記載されているような、液晶表示装置が備えられており、フロントガラス等への映り込みを防止している。また該液晶表示装置は、外光を吸収する機能も有しているため、カーナビゲーション装置等はフードのないすっきりとしたデザインにすることができている。
【先行技術文献】
【特許文献】
【０００５】
【特許文献１】特開２０１０−２１７８７１号公報
【特許文献２】特表２０１１−５０１２１９号公報
【発明の概要】
【発明が解決しようとする課題】
【０００６】
一方、自動車等に備えられているスピードメーターなどの計器類にはフードが設けられており、該フードによって外光を遮断している。そのため、スピードメーターなどの計器類にはフードを設ける必要があり、そのデザインに制限があった。
ダッシュボードのパネルに、特許文献１、２に記載されている光学シートを適用すると、本来の表示位置に表示される映像（以下において「主映像」ということがある。）の他に、主映像とは異なる表示位置に映像が映り込む現象、すなわち、「二重像」又は「ゴースト」と呼ばれる映像が発生する問題が起こる。
【０００７】
そこで、本発明では上記問題に鑑み、外光を吸収し、且つ、ゴーストが正面から視認されることを抑制可能な表示装置を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
上記問題について、発明者が鋭意検討した結果、光源と光学シートとが所定の間隔を有して配置されることにより、ゴーストが視認される傾向にあることを知見した。すなわち、ダッシュボードに装備されているメーター等は、メーター針やインジケーター等が備えられており、メーター等に光学シートを直接配置することができないため、メーター等と光学シートとは所定の間隔を有して配置される。このように配置されると、ゴーストが視認される傾向にあることが分かった。これについては、後に図５を用いて詳しく説明する。
また、発明者は、さらに鋭意検討した結果、光学シートの断面形状、及び、光源と光学シートとの間隔を適切にすることにより、ゴーストが正面から視認されることを抑制可能であることを知見した。
本発明は、上記知見に基づいて完成されたものである。
【００１０】
請求項１に記載の発明は、自動車の計器である表示発光部（１２０）と、表示発光部より観察者側に配置される光学シート（１０）と、を備える表示装置であって、光学シートは、基材層（１１）及び光学機能層（１２）を具備し、光学機能層は、所定の断面を有して基材層の面に沿って一方向に延び、当該延びる方向とは異なる方向に所定の間隔で複数配列される光透過部（１３）と、隣り合う光透過部の間隔に形成される光吸収部（１４）と、を備え、光透過部の幅は、表示発光部側が広く、観察者側が狭くなっており、光学機能層は表示発光部から５ｍｍ以上５０ｍｍ以下の間隔を有し、光学シートは表示発光部に触れないように配置され、光透過部と光吸収部との界面は多角形又は曲線を有しており、光透過部と光吸収部との界面において光が反射され、さらに光学機能層に隣接する他層との界面において再度反射された光は表示発光部側に戻るように、光透過部及び光吸収部が構成されている、表示装置である。
【００１１】
ここで、「表示発光部」とは、表示内容が形成された発光部である。例えば、自動車のダッシュボードに備えられる計器類のパネルやメーター針、インジケーター等である。これらは、自ら発光、又は、光源を利用して、表示内容を観察者に視認させることを可能にするものである。
【００１３】
請求項２に記載の発明は、光透過部の屈折率をＮｔとし、光吸収部の屈折率をＮｒとするとき、Ｎｔ−Ｎｒが０を超える請求項１に記載の表示装置である。
【００１４】
請求項３に記載の発明は、光透過部の屈折率をＮｔとし、光吸収部の屈折率をＮｒとするとき、Ｎｔ−Ｎｒが０となる請求項１に記載の表示装置である。
【００１５】
請求項４に記載の発明は、他層が保護層である請求項１に記載の表示装置である。
【００１６】
請求項５に記載の発明は、光学シートより観察者側に配置されるパネルを備え、上記パネルは光を透過する板状の部材である請求項１乃至４のいずれかに記載の表示装置である。
【００１７】
請求項６に記載の発明は、請求項１乃至５のいずれかに記載の表示装置を備え、上記表示装置は表示発光部に液晶パネルを具備する液晶表示装置である。
【発明の効果】
【００１８】
本発明によれば、外光を吸収し、且つ、表示発光部が光学機能層から５ｍｍ以上の間隔を有して配置されていても、ゴーストが正面から視認されることを抑制可能な表示装置を提供することができる。
【図面の簡単な説明】
【００１９】
【図１】本発明の一の形態に係る表示装置１００を説明する図である。
【図２】パネルユニット１１０及び表示発光部１２０を説明する分解斜視図である。
【図３】図２にＩＩＩ−ＩＩＩで示した線に沿った断面図である。
【図４】図３のうち光学シート１０に注目して拡大した図である。
【図５】光学シート１０の光透過部１３の短い上底が表示発光部側、長い下底が観察者側となる向きに配置された形態を説明する図である。
【図６】本発明の他の形態に係る光学シート４０を説明する図である。
【発明を実施するための形態】
【００２０】
以下、本発明を図面に示す形態に基づき説明する。ただし、本発明はこれらの形態に限定されるものではない。
【００２１】
図１は本発明の一の形態に係る表示装置１００を説明する図である。図１では表示装置１００として、自動車の計器類を例示した。表示装置１００はパネルユニット１１０及び表示発光部１２０を具備し、筐体１３０に納められている。
【００２２】
パネルユニット１１０は、表示発光部よりも観察者側に配置される。
【００２３】
図２はパネルユニット１１０及び表示発光部１２０を説明する分解斜視図である。また、図３には、図２にＩＩＩ−ＩＩＩで示した線に沿って切断した時のパネルユニット１１０及び表示発光部１２０の分解断面図の一部を示した。
【００２４】
パネルユニット１１０は光学シート１０及びパネル２０を備えている。図２では、紙面上方が観察者側、紙面下が表示発光部側となる。
【００２５】
図２からわかるように、光学シート１０は、シート状に形成された基材層１１と、基材層１１の観察者側の面に設けられた光学機能層１２と、を備えている。
【００２６】
この光学シート１０は、後述するように、入光側から入射した光の進行方向を変化させて出光側から出射させ、ゴーストが運転者や正面からの視認者に認識されないように制御する。この機能により、観察者に主映像のみを視認させることが可能となる。さらに、光学シート１０に対して、観察者側の正面から大きな角度で進行した光を吸収する機能（光吸収機能）を備えている。
【００２７】
図２、図３に示すように、基材層１１は光学機能層１２を支持する平板状のシート状部材である。
基材層１１をなす材料としては、種々の材料を使用することができる。ただし、表示装置に組み込まれる光学シート用の材料として広く使用され、優れた機械的特性、光学特性、安定性および加工性等を有するとともに安価に入手可能な材料を用いることができる。これには例えばポリエチレンテレフタレート（ＰＥＴ）、トリアセチルセルロース（ＴＡＣ）、メタクリル樹脂、ポリカーボネート等を挙げることができる。この中でも、複屈折の少ないＴＡＣ、メタクリル樹脂、ポリカーボネートを用いることが好ましい。さらには、車載用途などのように高い耐熱性が求められる用途では、ガラス転移点が高いポリカーボネートが望ましい。具体的にはポリカーボネートのガラス転移点は１４３℃であり、一般に１０５℃での耐久性が求められる車載用途に適している。
【００２８】
光学機能層１２は基材層１１の観察者側の面に積層された層で、層面に沿って光透過部１３と光吸収部１４とが交互に配列されている。図３に記載されているｘは、光学機能層１２と表示発光部１２０との距離を表しており、５ｍｍ以上の間隔を空けて配置される。好ましくは５０ｍｍ以下である。
【００２９】
なお、光学機能層１２の観察者側の面には、光学機能層１２を保護する保護層がさらに積層されていてもよい。保護層を積層することにより、光学機能層１２への外部からの傷害等を保護する効果、及び、光学シート１０を作製する際にそりを抑制する効果を付与することができる。保護層に用いられる材料としては、上記基材層と同様の材料を使用することができる。また、保護層には、反射防止処理、防眩処理、帯電防止処理、ハードコート処理等の処理を施してもよい。
【００３０】
図４は図３のうち、基材層１１及び光学機能層１２に注目して一部を拡大して表した図である。光学機能層１２は、図４に示した断面を有して紙面奥／手前側に延びる形状を備える。すなわち、図４に表れる断面において、略台形である光透過部１３と、隣り合う２つの光透過部１３間に形成された断面が略台形の光吸収部１４と、を具備している。
【００３１】
光透過部１３は光を透過させることを主要の機能とする部位であり、本形態では図３、図４に表れる断面において、基材層１１側に長い下底、その反対側（観察者側）に短い上底を有する略台形の断面形状を有する要素である。光透過部１３は、基材層１１の層面に沿って当該断面を維持して上記した方向に延びるとともに、この延びる方向とは異なる方向に所定の間隔で配列される。そして、隣り合う光透過部１３の間には、略台形断面を有する間隔が形成されている。従って、当該間隔は、光透過部１３の上底側（観察者側）に長い下底を有し、光透過部１３の下底側（表示発光部側）に短い上底を有する台形断面を有し、ここに後述する必要な材料が充填されることにより光吸収部１４が形成される。なお、本形態では隣り合う光透過部１３は長い下底側で連結されている。
【００３２】
光透過部１３は屈折率がＮｔとされている。このような光透過部１３は、光透過部構成組成物を硬化させることにより形成することができる。詳しくは後で説明する。屈折率Ｎｔの値は特に限定されることはないが、後述するように台形断面の斜面における光吸収部１４との界面で適切に光を反射（全反射を含む。）する観点から屈折率は１．５５以上であることが好ましい。ただし、屈折率が高すぎる材料は割れやすい場合が多いので屈折率は１．６１以下であることが好ましい。より好ましくは１．５６以下である。
【００３３】
光吸収部１４は隣り合う光透過部１３の間に形成された上記した間隔に形成される間部として機能し、間隔の断面形状と同様の断面形状となる。従って長い下底が観察者側を向き、短い上底が表示発光部側となる。そして光吸収部１４は、屈折率がＮｒとされるとともに、光を吸収することができるように構成されている。具体的には屈折率がＮｒであるバインダーに光吸収粒子が分散される。屈折率Ｎｒは、光透過部１３の屈折率Ｎｔよりも低い屈折率とされる。このように、光吸収部１４の屈折率を光透過部１３の屈折率より小さくすることにより、所定の条件で光透過部１３に入射した光を光吸収部１４との界面で適切に全反射させることができる。また、全反射条件を満たさない場合にも一部の光は当該界面で反射する。
屈折率Ｎｒの値は特に限定されることはないが、当該全反射を適切に行う観点から１．５０以下であることが好ましく、その中でも入手性の観点から１．４７以上が好ましい。より好ましく１．４９以上である。
【００３４】
光透過部１３の屈折率Ｎｔと光吸収部１４の屈折率Ｎｒとの屈折率の差は特に限定されるものではないが、Ｎｔ−Ｎｒが０以上０．１４以下であることが好ましい。ただし、屈折率差をつける場合には、Ｎｔ−Ｎｒが０．０５以上０．１４以下であることが好ましい。屈折率差を大きくすることにより、より多くの光を全反射させることができる。また、Ｎｔ＜Ｎｒとなる場合においても、光を反射させることが可能である。
【００３５】
なお、ゴーストを観察者に視認させないためには、本来であればＮｔとＮｒとの屈折率差はない方が望ましいとされている。しかし、実際には、先に成型、硬化した材料の屈折率と、後から充填、硬化した材料との屈折率は通常異なるため、一致しない。そのため、本発明は、屈折率差がある場合においても、観察者にゴーストが視認されることを抑制可能にするものである。
【００３６】
光学機能層１２では、特に限定されることはないが、例えば次のように光透過部１３及び光吸収部１４が形成される。すなわち、図４にＰｋで表した光透過部１３及び光吸収部１４のピッチは３０μｍ以上１００μｍ以下であることが好ましい。また、図４にθｋで示した光吸収部１４と光透過部１３との斜辺における界面と、光学機能層１２の層面の法線と、の成す角は１°以上１０°以下であることが好ましい。そして図４にＤｋで示した光吸収部１４の厚さは６０μｍ以上１５０μｍ以下であることが好ましい。これらの範囲内とすることにより、光の透過と光の吸収とのバランスを適切にすることができる。
【００３７】
本形態では光透過部１３と光吸収部１４との界面が断面において一直線状となる例を示したが、これに限らず折れ線状、凸である曲面状、凹である曲面状、多段状等であってもよい。また、複数の光透過部１３及び光吸収部１４で断面形状が同じであってもよいし、所定の規則性を有して異なる断面形状であってもよい。すなわち、光透過部の幅が、表示発光部側が広く、観察者側が狭くなっている形状であればよい。
ここで、「光透過部の幅」とは、図４においてＷｃで示したように、光透過部と光吸収部との一方の界面から他方の界面までの距離を表しており、その距離とは、光透過部と光吸収部とが配列されている方向に沿った距離、すなわちピッチ方向の距離である。
また、本形態において、ピッチの間隔は、１ピッチごとに異なる距離であってもよい。
【００３８】
光学シート１０は例えば次のように作製できる。
はじめに基材層１１に光透過部１３を形成する。これは、光透過部１３の形状が転写できる形状を表面に有する金型ロールと、これに対向するように配置されたニップロールとの間に、基材層１１となる基材シートを挿入する。このとき、基材シートと金型ロールとの間に光透過部を構成する組成物を供給しながら金型ロール及びニップロールを回転させる。これにより金型ロールの表面に形成された光透過部に対応する溝（光透過部形状を反転した形状）に光透過部を構成する組成物が充填され、該組成物が金型ロールの表面形状に沿ったものとなる。
【００３９】
ここで、光透過部を構成する組成物としては、例えば、エポキシアクリレート系、ウレタンアクリレート系、ポリエーテルアクリレート系、ポリエステルアクリレート系、ポリチオール系等の電離放射線硬化型の樹脂を挙げることができる。
【００４０】
金型ロールと基材シートとの間に挟まれ、ここに充填された光透過部を構成する組成物に対し、基材シート側から光照射装置により硬化させるための光を照射する。これにより、組成物を硬化させ、その形状を固定させることができる。そして、離型ロールにより金型ロールから基材層１１および成形された光透過部１３を離型する。
【００４１】
次に、光吸収部１４を形成する。光吸収部を作製する方法は、特に限定されないが、以下において、ワイピングによって作製する方法を説明する。
光吸収部１４を形成するには、まず、上記形成した光透過部１３間の間隔に光吸収部を構成する組成物を充填する。その後、余剰分の当該組成物をドクターブレード等で掻き落とす。そして、残った組成物に光透過部１３側から光照射装置により光を照射し、組成物を硬化させ、その形状を固定させる。このようにして、光吸収部１４を形成することができる。
【００４２】
光吸収部として用いられる材料は特に限定されないが、例えば、ウレタン（メタ）アクリレート、ポリエステル（メタ）アクリレート、エポキシ（メタ）アクリレート、およびブタジエン（メタ）アクリレート等の光硬化型樹脂の中に着色された光吸収粒子が分散されている組成物を挙げることができる。
【００４３】
また光吸収粒子を分散させる代わりに顔料や染料により光吸収部全体を着色することもできる。
光吸収粒子を用いる場合には、カーボンブラック等の光吸収性の着色粒子が好ましく用いられるが、これらに限定されるものではなく、映像光の特性に合わせて特定の波長を選択的に吸収する着色粒子を使用してもよい。具体的には、カーボンブラック、グラファイト、黒色酸化鉄等の金属塩、染料、顔料等で着色した有機微粒子や着色したガラスビーズ等を挙げることができる。特に、着色した有機微粒子が、コスト面、品質面、入手の容易さ等の観点から好ましく用いられる。一方、着色した有機微粒子やガラスビーズを用いる場合は、バインダーとの屈折率差でも光を反射してしまう可能性があるため、ゴースト発生の抑制等の観点からは、カーボンブラック顔料自体を光吸収粒子としてバインダーに分散させた方が好ましい。従って、実施例３及び実施例４では、光吸収粒子としてカーボンブラック粒子のみを透明バインダーに分散させた例を記載した。
光吸収粒子に着色した有機微粒子やガラスビーズを用いる場合は、平均粒子径が１μｍ以上２０μｍ以下であることが好ましい。一方、光吸収粒子にカーボンブラック粒子を用いる場合は、平均粒子径が１０ｎｍ以上５００ｎｍ以下であることが好ましい。このように、着色粒子等は、光吸収部の寸法によって、その大きさを適宜選択できる。
ここで、「平均粒子径」とは、光吸収粒子を１００個電子顕微鏡で観察してその直径をはかり、算術平均した直径を意味する。
【００４４】
これにより基材層１１の観察者側の面に光学機能層１２が積層した光学シート１０が作製される。
【００４５】
さらに、光学機能層１２において、基材層１１とは反対側の面、すなわち観察者側の面に、保護層を設けることができる。光学機能層１２に保護層を積層する方法は、ロールやＵＶ接着剤等を用いて積層することが可能である。
【００４６】
パネル２０は、光を透過する板状の部材であり、その材料は光を透過すれば特に制限はなく使用でき、例えば、ガラスや透明な樹脂等を例示することができる。
パネル２０は、図２、図３から分かるように、光学シート１０よりも観察者側に配置される。パネル２０は光学シート１０に積層又は接着されていてもよい。
【００４７】
本形態の表示発光部１２０はスピードメーターやタコメーター等の計器類であり、メーター針やインジケーターを備えている。ただし、本発明に係る表示発光部は当該形態に限定されるものではなく、例えば、表示発光部に公知の面光源装置等及び液晶パネルを用いることもできる。すなわち、本発明は、面光源装置及び液晶パネルを具備する表示発光部を備え、これに光学シートを組み合わせて液晶表示装置とすることも可能である。
【００４８】
次に、以上のような構成を備える表示装置の作用について、光路例を示しつつ説明する。ただし当該光路例は説明のための概念的なものであり、反射や屈折の程度を厳密に表したものではない。
【００４９】
図４を参照しつつ説明する。
表示発光部１２０から出射した光は、光学シート１０に向かい、基材層１１を透過し、光学機能層１２に入射する。光学機能層１２に入射する光は次のような光路を有して進行する。すなわち、例えば図４にＬ３１で示したように、光吸収部１４との界面に達することなく光透過部１３を透過する。または、図４にＬ３２で示したように光吸収部１４との界面に達して全反射して光透過部１３を透過する。このとき、本形態では当該界面の傾斜角度（θｋ）の作用により、界面で反射した光はパネル２０の法線に平行ではない方向へ進行する。また、全反射臨界角より小さい角度のため全反射しない光であってもそのうちの一部は当該界面で反射するものもある。このような光も同様に光透過部１３を透過する。
【００５０】
一方、図４にＬ３３で示したようにシート面法線に対して大きな角度で観察者側から光学機能層１２に入射した外光は光吸収部１４に吸収され、コントラストの低下を防止できる。
【００５１】
よって、観察者が表示装置の正面にいる場合、観察者はＬ３１から得られる映像のみを視認することが可能となる。従って、本発明に係る表示装置は外光を吸収し、且つ、ゴーストが正面から視認されることを抑制可能である。
【００５２】
なお、上記した形態では、光学機能層１２は、光透過部１３の短い上底が観察者側、長い下底が表示発光部側となる向きとしたが、これを反転した形態では本発明の効果を奏さない。すなわち、図５に示すように、光透過部の短い上底が表示発光部側、長い下底が観察者側となる向きとすると、ゴーストが正面から視認しやすい傾向にある。
【００５３】
表示発光部１２０から出射した光は、光学シート１０に向かい、光学機能層１２に入射する。光学機能層１２に入射する光は次のような光路を有して進行する。すなわち、例えば図５にＬ３１’で示した光は、図４のＬ３１と同様に、光吸収部１４との界面に達することなく光透過部１３及び基材層１１を透過する。一方で、図５にＬ３２’で示した光は、光吸収部１４との界面に達して全反射して光透過部１３及び基材層１１を透過する。このとき、界面で反射した光はパネル２０の法線に平行な方向へ進行する。また、全反射臨界角より小さい角度のため全反射しない光であってもそのうちの一部は当該界面で反射するものもある。このような光も同様に光透過部１３及び基材層１１を透過する。
【００５４】
すなわち、観察者が図５に係る表示装置の正面にいる場合、観察者はＬ３１’から得られる映像（主映像）と、Ｌ３２’から得られる映像（ゴースト）と、を視認する可能性がある。よって、図５のような表示装置を用いると、正面を向く観察者はゴーストを視認しやすい傾向にある。
【００５５】
次に本発明の他の形態について、図６を用いて説明する。図６は、図４に説明されている光学シートにおいて、光透過部と光吸収部との界面が断面において折れ線状である形態を説明する図である。このような形態を取ることにより、ゴーストとなる光を表示発光部側に戻すように導き、観察者にゴーストが視認されることを抑制することが可能である。なお、下記において、図４の説明と重複する事項については省略している。
【００５６】
図６に記載の光学シート４０は、基材１１及び光学機能層４２を具備し、光学機能層４２は光透過部４３及び光吸収部４４を備えている。光透過部４３と光吸収部４４との界面は多角形を有し、基材層１１の面に沿って一方向に延び、当該延びる方向とは異なる方向に所定の間隔で複数配列されている。光吸収部４４は隣り合う光透過部４３の間隔に形成されている。
【００５７】
図６における光学シート４０の作用により、観察者にゴーストが視認されないようにすることについて説明する。表示発光部１２０から出射した光は次の光路を取る。Ｌ５１に示したように、基材層１１を透過し、光吸収部４４との界面に達することなく光透過部４３を透過する。一方、Ｌ５２に示されたような光路を取る光は、光学シート４０に向かい、基材層１１を透過し、光学機能層４２に入射する。そして、光透過部４３と光吸収部４４の界面に到達すると、次のような光路を進行する。すなわち、Ｌ５３示したように、光吸収部４４を一度透過し、再度光透過部４３及び光吸収部４４の界面に到達し、反射される。そして、反射された光は他層との界面に到達し、再度反射され、表示発光部側１２０に導かれる光路を取る。また、Ｌ５４に示したように、光透過部４３と光吸収部４４の界面で反射され、反射された光は他層との界面に到達し、再度反射され、表示発光部側１２０に導かれる光路を取る。
【００５８】
図６に説明される光学シート４０は、このようにして、ゴーストとなる光を表示発光部側に導き、観察者にゴーストが視認されることを抑制することを可能にしている。なお、図６では光透過部と光吸収部との界面が断面において折れ線状である形態を説明したが、本発明の光透過部は、当該形態に限定されず、光透過部と光吸収部との界面において、光を反射し、その反射された光が他層との界面において、再度反射され表示発光部側に導かれる形態であればよい。例えば、光透過部が断面に曲線を有する形態とすることも可能である。一方で、光透過部が断面において多角形を有する場合は、六角形以上の多角形であることが好ましい。また、上記では、ゴーストとなる光は、光学機能層と他層との界面で再度反射され、表示発光部側に導かれることを記載したが、本発明は当該形態に限定されない。例えば、光学シートとパネルとの間に新たに層を設け、当該層の界面において、再度反射され表示発光部側に導かれる形態としてもよい。
【実施例】
【００５９】
実施例１〜４、及び比較例１、２に係る表示装置を作製し、ゴーストが視認されるか否かを評価した。
【００６０】
（実施例１）
実施例１では図４の光学シートの例に倣って、光透過部の短い上底が観察者側、長い下底が表示発光部側を向くように作製した。具体的には次のとおりである。
【００６１】
基材層として、厚さ１３０μｍのポリカーボネート樹脂を用いて、光学シートを作製した。まず、基材層の観察者側の面に光透過部を成形した。このとき、光透過部として、屈折率１．５６の紫外線硬化型ウレタンアクリレートを用い、光透過部の断面を等脚台形とし、ピッチ（図４のＰｋ）を８５μｍ、上底を３０μｍ、下底を５５μｍ、高さを１５０μｍ、ランド厚みを２５μｍとした。また、光透過部の観察者側の面のヘイズは２０であった。
次に光吸収部をワイピングにより形成した。光吸収部は、該光吸収部のうちバインダーを屈折率１．４９の紫外線硬化型ウレタンアクリレートとし、その中にカーボンブラックを含有した平均粒子径４μｍのアクリルビーズを２５質量％含ませた。また、光吸収部の断面を等脚台形とし、上底（図４のＷａ）を３０μｍ、下底（図４のＷｂ）を５５μｍ、高さ（図４のＤｋ）を１５０μｍとした。
【００６２】
さらに、光学機能層の観察者側の面に保護層として、紫外線硬化型ウレタンアクリレートをマットロールによって積層した。このとき、保護層の観察者側の面のヘイズは３０であった。以上により、光学シートを作製した。
【００６３】
このような光学シートを６．５インチ液晶表示装置（シャープ株式会社製、ＬＱ６５Ｔ５ＧＧ０３）に装着して表示装置とした。より具体的には、側面に発光源が配置された導光板、プリズムシート、光拡散フィルム、及び反射型偏光板からなる面光源装置、及び、その出光面側に配置した液晶パネルからなる表示発光部を配置し、さらに表示発光部の観察者側に光学シートを配置した。このとき、光透過部の短い上底が観察者側、長い下底が表示発光部側を向くように配置した。
【００６４】
ゴーストが視認されるか否かの評価は、光学機能層と表示発光部との距離を５ｍｍから５０ｍｍに連続的に変化させるように光学機能層を移動させ、このときにゴーストの視認の有無について評価した。具体的には、このときに観察者が表示装置の正面から目視し、ゴーストが視認される否かで判断した。
【００６５】
（実施例２）
実施例２は、実施例１に係る光学シートの保護層において、１００μｍのポリカーボネートフィルムをＵＶ接着剤で貼合して積層した表示装置である。
【００６６】
（実施例３）
実施例３は、実施例１に係る光学シートにおいて、アクリルビーズの代わりに平均粒子径１００ｎｍのカーボンブラック粒子を５質量％含ませた表示装置である。
【００６７】
（実施例４）
実施例４は、実施例２に係る光学シートにおいて、アクリルビーズの代わりに平均粒子径１００ｎｍのカーボンブラック粒子を５質量％含ませた表示装置である。
【００６８】
（比較例１）
比較例１に係る表示装置は、実施例１に係る表示装置において、光学シートが光透過部の短い上底が表示発光部側、長い下底が観察者側を向くように配置した表示装置である。
【００６９】
（比較例２）
比較例２に係る表示装置は、実施例２に係る表示装置において、光学シートが光透過部の短い上底が表示発光部側、長い下底が観察者側を向くように配置した表示装置である。
【００７０】
その結果、実施例１、２に係る表示装置では、観察者に正面視からゴーストは視認されなかった。しかしながら、観察する方向を上下２０°に角度を変えるとゴーストが視認された。実施例３、４に係る表示装置では観察する方向が正面視でも上下２０°の角度でもゴーストが視認されなかった。これは、光吸収部に含有されたカーボンブラック粒子によって、表示発光部からの光が一部吸収されたため、ゴーストとなる光が視認できない程の弱い光になったためと考えられる。
一方で、比較例１、２に係る表示装置では、観察者正面視でもゴーストが視認された。
【符号の説明】
【００７１】
１０、４０  光学シート
１１  基材層
１２、４２  光学機能層
１３、４３  光透過部
１４、４４  光吸収部
２０  パネル
１００  表示装置
１１０  パネルユニット
１２０  表示発光部
１３０  筐体
【図１】
0006766367.tif 000002
【図２】
0006766367.tif 000003
【図３】
0006766367.tif 000004
【図４】
0006766367.tif 000005
【図５】
0006766367.tif 000006
【図６】
0006766367.tif 000007